(57)【要約】【課題】コンクリート舗装水路に、動物が落ちても陸に這い上がることができると共に、魚巣を形成して魚の繁殖を促進することができるスロープ付きコンクリートブロックを提供するものである。【解決手段】箱形の前面と上面を開口したコンクリートブロック本体１の側面上部から前面下部側に向かう傾斜したスロープ３を形成し、このコンクリートブロック本体２の前面開口部を、三面コンクリート舗装水路１８の側面開口部１６に設置して、水路１８に落ちた動物がスロープ３から陸に這上がることができるようにしたことを特徴とするものである。【選択図】    図１
2004218269.tif 000002
【特許請求の範囲】
【請求項１】
箱形の前面と上面を開口したコンクリートブロック本体の、側面または背面上部から前面下部側に向かう傾斜したスロープを形成し、このコンクリートブロック本体の前面開口部を、三面コンクリート舗装水路の側面開口部に設置して、水路に落ちた動物がスロープから陸に這上がることができるようにしたことを特徴とするスロープ付きコンクリートブロック。
【請求項２】
スロープの上面に植栽または凹凸面を形成したことを特徴とする請求項１記載のスロープ付きコンクリートブロック。
【請求項３】
スロープの下部に空間部を形成して、ここを魚巣としたことを特徴とする請求項１または２記載のスロープ付きコンクリートブロック。
【請求項４】
コンクリートブロック本体の前面開口部と、三面コンクリート舗装水路となるＵ字溝の側面開口部とを合わせて、コンクリートブロック本体とＵ字溝を一体に形成したことを特徴とする請求項１、２または３記載のスロープ付きコンクリートブロック。
【発明の詳細な説明】
【０００１】
【発明の属する技術分野】
本発明は三面コンクリート舗装水路に設置するスロープ付きコンクリートブロックに関するものである。
【０００２】
【従来の技術】
近年、圃場整備や宅地造成などの土地改良が盛んに行なわれ、これに伴って、元からあった用水路を三面コンクリート舗装水路に改修する所が増えている。このコンクリート舗装水路に、蛙などの両性類や蛇などの爬虫類、あるいは多くの小動物や昆虫が落ちると、陸に這い上がることができず命を落としている問題があった。またコンクリートで形成された川は魚巣を形成しにくいため魚が繁殖しない問題もあった。
【０００３】
このため従来は（例えば特許文献１参照）、水路用として床掘された溝底面に、一対の水路用コンクリートＬ形ブロックで形成されるコンクリート水路を一定間隔ごとに配列して、該コンクリート水路の側壁間をコンクリート板よりなる棚板によって渡設した水路が提案されている。
【０００４】
この構造では、Ｌ形ブロックと棚板との間の底面に露出する地盤から酸素が供給されて微生物が混入すると共に、段差部分により流水状態を変化させて下流での氾濫を防いで魚の産卵場所を確保するというものである。しかしながら水路の底面や側壁に凹凸を形成しただけであり、魚巣としては不十分であり、また水路に落ちた動物に対しての対策がなされていない。
【０００５】
【特許文献１】
特開２００１−１３１９４７号公報（段落０００８−段落００１７  図２）
【０００６】
【発明が解決しようとする課題】
本発明は上記問題を改善し、コンクリート舗装水路に、動物が落ちても陸に這い上がることができると共に、魚巣を形成して魚の繁殖を促進することができるスロープ付きコンクリートブロックを提供するものである。
【０００７】
【課題を解決するための手段】
本発明の請求項１記載のスロープ付きコンクリートブロックは、箱形の前面と上面を開口したコンクリートブロック本体の、側面または背面上部から前面下部側に向かう傾斜したスロープを形成し、このコンクリートブロック本体の前面開口部を、三面コンクリート舗装水路の側面開口部に設置して、水路に落ちた動物がスロープから陸に這上がることができるようにしたことを特徴とするものである。
【０００８】
本発明の請求項２記載のスロープ付きコンクリートブロックは、スロープの上面に植栽または凹凸面を形成したことを特徴とするものである。また請求項３記載のスロープ付きコンクリートブロックは、スロープの下部に空間部を形成して、ここを魚巣としたことを特徴とするものである。
【０００９】
更に請求項４記載のスロープ付きコンクリートブロックは、コンクリートブロック本体の前面開口部と、三面コンクリート舗装水路となるＵ字溝の側面開口部とを合わせて、コンクリートブロック本体とＵ字溝を一体に形成したことを特徴とするものである。
【００１０】
【発明の実施の形態】
以下本発明の実施の一形態を図１ないし図５を参照して詳細に説明する。図において１はスロープ付きコンクリートブロックを示すもので、これは箱形の前面と上面を開口したコンクリートブロック本体２の左右側面から前面下部側中央に向かう傾斜したスロープ３、３を形成し、この中間に平端部４を形成したものである。
【００１１】
前記コンクリートブロック本体２は下部ブロック２ａの上に、上部ブロック２ｂを重ねて一体に形成し、この上部ブロック２ｂにスロープ３、３と平端部４が形成されている。上部ブロック２ｂの背面内側には段差部５、５が形成されている。また図３に示すようにスロープ３と平端部４は、上面に凹部６が形成され、ここに種子を混合した培土７が充填され、更にこの表面にネット８が取付けられ、ネット８の編目を通して草９が生長するようになっている。また凹部６の底面には所定の間隔で水抜き孔１０が開孔されている。
【００１２】
また図１および２に示すように上部ブロック２ｂの側面と平端部４との間には、下部ブロック２ａの前面上部に形成した土砂止め１１、１１が嵌合し、これとスロープ３、３、および上部ブロック２ｂの側面との間に三角形状の開口部１２が形成されている。また下部ブロック２ａは図５に示すように、Ｕ字溝状に空間部が形成されて、この空間部が魚巣１４となっている。
【００１３】
上記構成のスロープ付きコンクリートブロック１は、図４および図５に示すように、Ｕ字溝１５を基礎コンクリート１７の上に直線状に並べて設置して三面コンクリート舗装水路１８を形成する。この水路１８に沿って所定の間隔で、側面開口部１６を形成したＵ字溝１５を配置し、この側面開口部１６にスロープ付きコンクリートブロック１の開口した前面を位置させてモルタルで接合する。
【００１４】
スロープ付きコンクリートブロック１のスロープ３、３と平端部４の上面の凹部６には種子を混合した培土７が充填され、更にこの表面にネット８が取付けられ、培土７を抑えて流失を防止している。種子は発芽して草９が生長してくると、地面と同様の状態となり、動物が滑らずにスロープ３を歩くことができる。
【００１５】
水路１８の上流側で、蛙などの両性類や蛇などの爬虫類、あるいは多くの小動物や昆虫が落ちると水に流されてくるが、側面開口部１６のところで水の流れが変わって、スロープ３や平端部４から這い上がることができる。這い上がった動物は草９が生長して地面と同様の状態であるのでスロープ３を上って陸に上がることができる。このため、従来の水路のように一旦、落ちたら這い上がることができずに死んでしまう事がなく、生態系を維持することができる。
【００１６】
またスロープ付きコンクリートブロック１の内側には魚巣１４が形成されているので、三角形状の開口部１２を通して内部に水が流入し、流れのない環境が形成されているので川魚の繁殖に有効である。
【００１７】
図６は本発明の他の実施の形態を示すもので、このスロープ付きコンクリートブロック１は、箱形の前面と上面を開口したコンクリートブロック本体２の右側面上部から前面下部左側に向かう傾斜したスロープ３を形成し、この先端に、左側面に接続する平端部４を形成したものである。またスロープ３の下部には前面に三角形状の開口部１２が形成され、この下方の下部ブロック２ａにはＵ字溝状に空間部が形成されて、この空間部が魚巣１４となっている。
【００１８】
図７は本発明の他の実施の形態を示すもので、このスロープ付きコンクリートブロック１は、Ｕ字溝１５の片側の壁面に、前面と上面を開口した箱形のコンクリートブロック本体２が一体に形成されている。このブロック本体２の左側面上部から前面下部右側に向かう傾斜したスロープ３が形成され、更に右側面上部から前記スロープ３の中間に接続するスロープ３が形成されている。
【００１９】
このスロープ３、３の表面には小石２０が敷かれてコンクリートで固定され、表面に凹凸が形成されている。また片側のスロープ３の下方には魚巣１４が形成されている。この構造では、Ｕ字溝１５とスロープ付きコンクリートブロック１が一体に形成されているので、施工が容易である。またスロープ３、３の表面は小石２０が敷かれて、表面に凹凸が形成されているので、滑りにくく這い上がった動物がスロープ３を上って陸に上がることができる。
【００２０】
図８は本発明の他の実施の形態を示すもので、このスロープ付きコンクリートブロック１は、箱形の前面と上面を開口したコンクリートブロック本体２の右側面上部から下部にジグザク状に交互に傾斜したスロープ３、３を形成し、この折り返し部に平端部４、４を形成し、このこのスロープ３と平端部４の表面に所定の間隔で滑り止めのＶ溝２１を形成したものである。
【００２１】
図９および図１０は本発明の異なる他の実施の形態を示すもので、このスロープ付きコンクリートブロック１は、箱形の前面と上面を開口したコンクリートブロック本体２の背面上部から前面側に向かってスロープ３を形成し、このスロープ３の下部側に丸孔状の開口部１２を形成すると共に、この下方の下部ブロック２ａに空間部が形成されて、この空間部が魚巣１４となっている。
【００２２】
なおスロープ３は図３と同様に上面に凹部６が形成され、ここに種子を混合した培土７が充填され、更にこの表面にネット８が取付けられ、ネット８の編目を通して草９が生長するようになっている。また丸孔状の開口部１２を開孔したスロープ３の前方には土砂止め１１が取付けられている。
【００２３】
図１１は本発明の異なる他の実施の形態を示すもので、図９のスロープ３を横方向に沿って３枚設けたもので、その断面構造は同一である。
【００２４】
なお上記説明ではＵ字溝１５で形成した三面コンクリート舗装水路１８に適用した場合について説明したが、Ｌ形ブロックで形成した水路にも適用することができる。
【００２５】
【発明の効果】
以上説明した如く本発明に係る請求項１記載のスロープ付きコンクリートブロックによれば、水路の上流側で、蛙などの両性類や蛇などの爬虫類、あるいは多くの小動物や昆虫が落ちると水に流されてくるが、側面開口部のところで水の流れが変わって、スロープから陸に這い上がって生還でき、生態系を維持することができる。
【００２６】
また請求項２記載のスロープ付きコンクリートブロックによれば、スロープの上面に植栽または凹凸面を形成したので、水路に落ちて濡れていても、滑らずにスロープを這い上がることができる。また請求項３記載のスロープ付きコンクリートブロックによれば、スロープの下部に空間部を形成して、ここを魚巣としたので、流れのない環境が形成されて、川魚の繁殖に有効である。
【００２７】
また請求項４記載のスロープ付きコンクリートブロックによれば、コンクリートブロック本体の開口した前面と、Ｕ字溝の側面開口部とを合わせて、コンクリートブロック本体とＵ字溝を一体に形成したので、施工作業が容易である。
【図面の簡単な説明】
【図１】本発明の実施の一形態によるスロープ付きコンクリートブロックの斜視図である。
【図２】図１のコンクリートブロックを示す正面図である。
【図３】図２のスロープ部分を示す断面図である。
【図４】図１のコンクリートブロックを水路に取付けた状態を示す斜視図である。
【図５】図４のコンクリートブロックを水路に取付けた状態を示す断面図である。
【図６】本発明の他の実施の形態によるスロープ付きコンクリートブロックの正面図である。
【図７】本発明の他の実施の形態によるＵ字溝と一体に形成したスロープ付きコンクリートブロックの斜視図である。
【図８】本発明の異なる他の実施の形態によるスロープ付きコンクリートブロックの正面図である。
【図９】本発明の異なる他の実施の形態によるスロープ付きコンクリートブロックの斜視図である。
【図１０】図９のコンクリートブロックを示す断面図である。
【図１１】本発明の異なる他の実施の形態によるスロープ付きコンクリートブロックの斜視図である。
【符号の説明】
１    スロープ付きコンクリートブロック
２    コンクリートブロック本体
３    スロープ
４    平端部
５    段差部
６    凹部
７    培土
８    ネット
９    草
１０水抜き孔
１１土砂止め
１２三角形状の開口部
１４魚巣
１５Ｕ字溝
１６側面開口部
１７基礎コンクリート
１８水路
２０小石
２１Ｖ溝
【図１】
2004218269.tif 000003
【図２】
2004218269.tif 000004
【図３】
2004218269.tif 000005
【図４】
2004218269.tif 000006
【図５】
2004218269.tif 000007
【図６】
2004218269.tif 000008
【図７】
2004218269.tif 000009
【図８】
2004218269.tif 000010
【図９】
2004218269.tif 000011
【図１０】
2004218269.tif 000012
【図１１】
2004218269.tif 000013